(57)【特許請求の範囲】
【請求項１】
表面側の液透過性のトップシートと、
裏面側の液不透過性のバックシートと、
前記トップシートと前記バックシートとの間に配置された吸収体と、を備え、
前記吸収体は、前方域と排尿域と後方域とを有し、
前記吸収体の排尿域に設けられ、幅方向左右一対の嵩上げされた第１の畝部と、前記吸収体の前方域及び後方域の幅方向に、直線状または製品長手方向内側に凸または外側に凸の形状である長手方向前後一対の第２の畝部と、を有し、前記第１の畝部と前記第２の畝部はそれぞれ離間しており、
前記トップシート及び前記吸収体の排尿域に、
長手方向排尿域前方部に設けられた幅方向内側に湾曲する一対の第１チャネルエンボスと、
長手方向排尿域後方部に設けられた幅方向外側に湾曲する一対の第２チャネルエンボスと、
前記第２チャネルエンボスの内側に設けられた長手方向後方部に突出する略Ｕ字形状の第３チャネルエンボスと、
長手方向両端部に設けられた長手方向外側に湾曲する一対の第４チャネルエンボスと、が、前記第１の畝部よりも幅方向内側に、かつ、前記第２の畝部よりも長手方向内側に、それぞれ離間して設けられており、
前記第１の畝部が、周辺領域よりも密度が高く形成され、平面視で、直線状または製品幅方向内側に凸状または凹状の形状を有し、
前記第１の畝部が頂上部と基底部を有し、
前記頂上部の頂面幅が３ｍｍ以上８．６ｍｍ以下であり、高さが基底面に対して３ｍｍ以上５ｍｍ以下であり、
前記第１の畝部が側壁部を有し、前記側壁部の傾斜角度が１５度以上２６度以下であることを特徴とする軽失禁パッド。
【請求項２】
前記トップシートと前記吸収体の排尿域が、チャネルエンボスまたは接着剤により部分的に一体化されている請求項１に記載の軽失禁パッド。
【請求項３】
前記左右一対の第１の畝部より幅方向外側に少なくとも一部が起立する、少なくとも一対の立体ギャザーをさらに有し、
前記吸収体と前記バックシートとの間にパルプ含有シートを備える、請求項１又は２に記載の軽失禁パッド。
【発明の詳細な説明】
【技術分野】
【０００１】
本発明は、吸収性物品に関する。
【背景技術】
【０００２】
軽失禁パッドなどの吸収性物品は、一度にある程度の量が排出される尿などの液体をもれずに素早く吸収させるために、股部の吸収体部分のみを２層構造とし、股部へ押し当てることで隙間を無くしたり、液体の吸収・拡散をよくする方法／効果が知られている。
また、さらにフィット性や漏れ防止（拡散）の観点から、形状変形しやすいようにかつ前後への液体の拡散誘導手段として、トップシートから吸収体にかけて左右一対のチャネルエンボスが施されている。
【０００３】
特許文献１と特許文献２の吸収性物品では、２層の吸収体において、密度を下層＞上層とすることなどにより、吸収性能を向上させる。特許文献３の吸収性物品では、２層の吸収体において、下層の吸収体を小さくし、上層吸収体を押し上げて上方に凸となる構造とすることにより漏れを防止する。特許文献４の吸収性物品では、トップシートと吸収体とがエンボス加工する、いわゆるチャネルエンボスにより、表面の液体の滞留を少なくする。特許文献５の吸収性物品では、吸水、膨潤により吸水後の凹凸の段差が大きくなる、自発的立体化機能を有する、防漏壁を具備するシート状吸収体を得る。
【先行技術文献】
【特許文献】
【０００４】
【特許文献１】特開昭６２−２７９４５号公報
【特許文献２】特開平２００４−１２１３８２号公報
【特許文献３】特開２００２−２３８９４８号公報
【特許文献４】特開１９９６−７１１０５号公報
【特許文献５】特開２００３−３３３８１号公報
【発明の概要】
【発明が解決しようとする課題】
【０００５】
しかしながら、上記特許文献の吸収性物品では、一度に大量に漏れる液体に対しては、横漏れの効果が小さく、吸収性能とフィット感を両立した吸収性物品が望まれている。
【０００６】
そこで、本発明の目的は上記課題を解決するために、一度に大量に液体が漏れる場合でも、横漏れの効果が大きく、吸収性能とフィット感を両立した吸収性物品を提供することにある。
【課題を解決するための手段】
【０００７】
このような目的を達成するため、（１）本発明の吸収性物品は、表面側の液透過性のトップシートと、裏面側の液不透過性のバックシートと、前記トップシートと前記バックシートとの間に配置された吸収体と、を備え、前記吸収体は、前方域と排尿域と後方域とを有し、前記吸収体の排尿域に設けられ、幅方向左右一対の嵩上げされた畝部を有し、前記畝部が、周辺領域よりも密度が高く形成され、平面視で、直線状または製品幅方向内側に凸状または凹状の形状を有する。
【０００８】
（２）上記（１）において、前記畝部が頂上部と基底部を有し、前記頂上部の頂面幅が３〜１０ｍｍであり、高さが基底面に対して２〜１０ｍｍである。
（３）上記（１）又は（２）において、前記畝部が側壁部を有し、前記側壁部の傾斜角度が１５度以上である。
（４）上記（１）ないし（３）において、前記トップシートと前記吸収体の排尿域が、チャネルエンボスまたは接着剤により部分的に一体化されている。
【０００９】
（５）上記（１）ないし（４）において、前記吸収体の前方域又は/及び後方域に幅方向に、直線状または製品長手方向内側に凸または外側に凸の形状の畝をさらに有する。
（６）上記（１）ないし（５）において、前記左右一対の畝部より幅方向外側に少なくとも一部が起立する、少なくとも一対の立体ギャザーをさらに有する。
【発明の効果】
【００１０】
本発明によれば、一度に大量に液体が漏れる場合でも、横漏れの効果が大きく、吸収性能とフィット感を両立した吸収性物品を提供することができる。
【図面の簡単な説明】
【００１１】
【図１】本発明の実施形態に係る吸収性物品の平面図である。
【図２】本発明の実施形態に係る吸収性物品の断面図であって、図１のＡ−Ａ’線における断面図である。
【図３】本発明の実施形態に係る吸収性物品の吸収体の平面図である。
【図４】図４は図３のＢ−Ｂ’断面図である。
【発明を実施するための形態】
【００１２】
以下、添付図面を参照して、本発明を実施するための形態（以下、「実施形態」と称する）について詳細に説明する。実施形態の説明の全体を通して同じ要素には同じ番号を付している。また、実施形態において、「前」、「後」、「左」、「右」は、各々、吸収性物品を装着する使用者側から見た方向を示す。
【００１３】
本発明の実施形態に係る吸収性物品としては、例えば、軽失禁パッド、パンティーライナー、紙おむつ、紙おむつライナー、生理用ナプキンが例示されるが、これに限定されるものではなく、その他の吸収性物品であってもよい。
【００１４】
図１は、本発明の実施形態に係る吸収性物品の平面図であり、図２は、本発明の実施形態に係る吸収性物品の断面図であって、図１のＡ−Ａ’線における断面図である。図１及び図２に示すように、吸収性物品１は、肌当接面側に配され表面側の液透過性のトップシート２００と、トップシート２００に対向して裏面側に配置された液不透過性のバックシート３００と、トップシート２００とバックシート３００との間に配置された吸収体１００と、を備える。これにより、吸収体１００は、トップシート２００とバックシート３００の間に挟まれた構造となっている。
【００１５】
本実施形態のトップシート２００の基材は、血液、体液等の液体が吸収体１００へと移動するような液透過性を備えていればよく、例えば、エアースルー不織布を代表とするサーマルボンド不織布等の不織布、スパンボンド不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。なかでも、尿等の逆戻り防止の観点から、エアースルー不織布が好ましい。また、液透過性を向上させるために、トップシート２００にエンボス加工や穿孔加工を施すことが好ましい。その加工方法は、公知の方法を制限なく行うことができる。また、肌への刺激を低減させるために、トップシート２００に、ローション、酸化防止剤、抗炎症成分、ｐＨ調整剤、抗菌剤、保湿剤等を含有させることも好ましい。さらに、強度および加工性の点から、トップシート２００の坪量は、１０ｇ／ｍ２以上５０ｇ／ｍ２以下、さらに好ましくは１８ｇ／ｍ２以上であることが好ましい。
【００１６】
トップシート２００の肌当接面側に、立体ギャザー２１０を長手方向両側縁部に、長手方向前方部（紙面上）から長手方向後方部（紙面下）にかけて長手方向に沿って設けることが好ましい。立体ギャザー２１０は立体ギャザーシート２１１内に長手方向に沿って糸ゴム等の立体ギャザー用弾性部材２１２を備えることで、起立性を有し、使用者の体型に合わせて伸縮自在に変形可能となる。
【００１７】
また、トップシート２００の肌当接面側には、吸収性物品１の横漏れをより確実に防ぐために、吸収性物品１の幅方向両側縁部から幅方向内側にかけて、バリアシート（図示せず）を設けることも好ましい。バリアシートの基材は、液不透過性であることが好ましく、例えば、サーマルボンド不織布等の不織布、スパンボンド不織布、サーマルボンド／スパンボンドを積層した複合不織布、ポリエチレンフォーム、ウレタンフォーム等の発泡フィルム、あるいは、これらを積層した複合シートといった材料から形成される。さらに、吸収性物品１の幅方向両側縁から幅方向外側に突出するウイング状フラップ（図示せず）を設けることも好ましい。ウイング状フラップは、例えば、バックシート３００と、不織布との積層により形成することができる。
【００１８】
吸収体１００は、フラップパルプと高吸収性樹脂（高吸収性ポリマー）を含有する。吸収体１００の基材は、一般に生理用ナプキンやおむつ、尿パッド等の吸収性物品に使用されるものであれば特に制限はなく、例えば、フラッフパルプ、コットン、レーヨン、アセテート、ティシュ、吸収紙、親水性不織布といった材料から形成される。この中で、吸収性の観点から、フラッフパルプが好ましい。かかるフラッフパルプとしては、木材パルプ及び合成繊維、ポリマー繊維等の非木材パルプを綿状に解繊したものをあげることができる。また、吸収性能および肌触りを損なわないよう、吸収体１００の基材の坪量を３００ｇ／ｍ２以上６００ｇ／ｍ２以下とすることが好ましい。
【００１９】
吸収体１００の高吸収性ポリマー（ＳＡＰ）は、体液を吸収し、かつ、逆流を防止できるものであれば特に制限はなく、例えば、ポリアクリル酸ナトリウム、ポリアスパラギン酸、(デンプン−アクリル酸)グラフト共重合体、アクリル酸−ビニルアルコール)共重合体、 (イソブチレン−無水マレイン酸)共重合体及びそのケン化物、といった材料から形成される。この中で、重量当たりの吸収量の観点から、ポリアクリル酸ナトリウムが好ましい。また、吸収性能および肌触りを損なわないよう、吸収体１００の高吸収ポリマーの坪量は、１００ｇ／ｍ２以上５００ｇ／ｍ２以下とすることが好ましい。
【００２０】
吸収体１００の基材と高吸収性ポリマーは、基材中に高吸収性ポリマー粒子を混合して形成したものが好ましい。また、高吸収性ポリマー粒子の漏洩防止や吸収体１００の形状を安定させるために、吸収体１００をキャリアシート（図示せず）に包むことが好ましい。キャリアシートは、吸収体１００のトップシート２００側（上部）の上キャリアシート７１０を含む。キャリアシートの基材としては、親水性を有するものであればよく、ティシュ、吸収紙、エアレイド不織布等の親水性不織布をあげることができる。キャリアシートを複数備える場合は、キャリアシートの基材は同一のものであっても異なるものであってもよい。
【００２１】
吸収体１００の形状としては、一般に生理用ナプキンやおむつ、尿パッド等の吸収性物品に使用されるものであれば特に制限はなく、例えば、矩形状、砂時計状、Ｉ字状等をあげることができる。さらに、吸収体１００の表面にエンボス加工を施すと、体液の拡散をコントロールすると共に、使用者の体型に応じて吸収体１００が容易に変形するので好ましい。
【００２２】
本実施形態のバックシート３００の基材は、吸収体１００が保持している体液が下着に漏れないような液不透過性を備えたものであればよく、不織布、樹脂フィルム、あるいはこれらを積層した複合シートといった材料から形成される。
かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。バックシート３００には、下着等に粘着させる粘着剤６１０を設け、その外側に剥離紙６００を設けることが好ましい。
【００２３】
強度および加工性の点から、バックシート３００の坪量は、１５ｇ／ｍ２以上４０ｇ／ｍ２以下程度であることが好ましく、１８ｇ／ｍ２以上のポリエチレンフィルムがさらに好ましい。また、装着時の蒸れを防止するため、バックシート３００は通気性を持たせることが好ましい。通気性を備えさせるために、例えば、基材の樹脂フィルムにフィラーを配合することや、バックシート３００にエンボス加工を施すことがあげられる。フィラーとしては、炭酸カルシウムをあげることができ、その加工方法は、公知の方法を制限なく行うことができる。
【００２４】
図３は本発明の実施形態に係る吸収性物品の吸収体の平面図、図４は図３のＢ−Ｂ’断面図である。図１〜図４に示すように、吸収体１００は、前方域と排尿域と後方域とを有する。吸収体１００の股部排尿域には、幅方向左右一対の嵩上げされた畝部１２０が長手方向に延びて形成されている。
図４に示すように、畝部１２０は、平面視で、製品幅方向内側に凸状の形状を有し、幅方向振幅より長手方向長さの方が長い。畝部１２０を製品幅内側に凹状（外側に凸状）としてもよいし、直線状であってもよい。この畝部１２０は、頂上部１２１、側壁部１２２、基底部１２３を有し、畝部１２０以外の基底部（周辺領域）よりもプレス等で密度が高められている。
【００２５】
頂上部１２１の頂面幅Ａは座屈し難いように３〜１０ｍｍであるのが好ましい。プレス等により加密された畝部の高さＢは、基底面に対して２−１０ｍｍが好ましい。２ｍｍ以下だと畝部１２０としての効果が薄く、１０ｍｍ以上だと拡散効果よりもフィット性が悪くなる。
畝部１２０の側壁部１２２は座屈しにくいように傾斜しており、傾斜角θは１５度以上が好ましい。１５度以下だと畝部が型崩れしやすくなってしまう。
さらに、前後漏れ防止するために吸収体の前方域と後方域の幅方向に、畝部１３０、１４０を設ける。畝部１３０、１４０は、直線状または製品長手方向内側に凸または外側に凸の形状を有する。
【００２６】
畝部１２０と立体ギャザー２１０の関係について説明すると、立体ギャザー２１０は、左右一対の畝部１２０より幅方向外側に少なくとも一部が起立するように設けられている。畝部１２０と立体ギャザー２１０により、さらに横漏れを防止することができる。
【００２７】
トップシート２００と吸収体１００の排尿域が、チャネルエンボスまたは接着剤により部分的に一体化されている。図２では、後述するチャネルエンボス５０ｅ、５０ｆによりトップシート２００と吸収体１００の排尿域が一体化されている。畝部分によりトップシート２００と吸収体１００の排尿域に隙間ができてしまうため、排尿域においてエンボス等によりトップシート２００と吸収体を接触させるために部分的に一体化させることで、隙間を少なくすることができる。
【００２８】
図１から図３に示すように、チャネルエンボスを、長手方向排尿域前方部（紙面上側）に設けられた幅方向内側に湾曲する一対の第１チャネルエンボス５０ｅ、５０ｆと、長手方向排尿域後方部（紙面下側）に設けられた幅方向外側に湾曲する一対の第２チャネルエンボス５０ａ、５０ｂと、第２チャネルエンボス５０ａ、５０ｂの内側に設けられた長手方向後方部に突出する略Ｕ字形状の第３チャネルエンボス５０ｄと、長手方向両端部に設けられた長手方向外側に湾曲する一対の第４チャネルエンボス５０ｃ、５０ｇを、それぞれ離間して形成することにより、体液が吸収体１００全体に拡散誘導されて、高吸収性ポリマーが体液を保持するので、多量の体液であっても、吸収速度の低下及び液戻り量を抑制することができる。
【００２９】
チャネルエンボスは、例えば、熱エンボス法、超音波エンボス法、高周波エンボス法により形成することができる。熱エンボス法の場合、チャネルエンボス５０a〜５０gに対応する凸部形状を有するエンボスロールと、エンボスロールの周面に配置された受けロールあるいはベルトの間に、トップシート２００と吸収体１００を挟み込む形で積層したものを通過させて、これらを一体的に加熱及び加圧処理を行うことで、チャネルエンボス５０a〜５０gが形成される。
【００３０】
本実施形態の吸収性物品１は、上記に示すチャネルエンボス５０a〜５０gを形成したトップシート２００及び吸収体１００に、バックシート３００を積層したものを、その周囲を一部あるいは全周に渡ってホットメルト系接着剤を用いて固定することにより製造する。ホットメルト系接着剤の種類及び塗布方法は特に限定されないが、ノズルから溶融状態の接着剤を非接触で塗布するカーテンコート法やスパイラル法、また、接触式では、スロット法等の公知の方法が適用できる。
【００３１】
また、吸収体１００とバックシート３００との間にパルプ含有シート５００を備える。パルプ含有シート５００の素材は、木材パルプ主体のエアーレイ不織布、ハイドロニット不織布、クレープ紙で坪量は、２０ｇ／ｍ２以上６０ｇ／ｍ２以下のものが使用できるが、好ましくは、３０ｇ／ｍ２以上５０ｇ／ｍ２以下の坪量である。立体ギャザー２１０、液拡散性シート４００、パルプ含有シート５００により、吸収速度に優れ、初期漏れを防止することができる。
なお、上記ハイドロニット不織布とは、米国キンバリークラーク社の商品名で、米国特許第５２８４７０３号明細書に開示されているように、ポリプロピレン不織布にパルプを、バインダー（接着剤）を使わずに、高水圧（ウォータージェット）で強固に絡めてシート化したもので、強度、吸収性に優れた素材である。
【実施例】
【００３２】
以下の実施例により、本発明をさらに具体的に説明する。なお、本発明はその要旨を超えない限り、以下の実施例の記載に限定されるものではない。
【００３３】
本実施例及び参考例は、トップシート２００として、２０ｇ／ｍ２のエアースルー不織布とバックシート３００として、２０ｇ／ｍ２のＰＥフィルムの間にそれぞれの吸収体１００を挟み一体化させたものを官能評価に供した。実施例１では、畝部１２０が製品幅方向内側に凸状、プレスが「有り」、頂面幅が８ｍｍ、畝部１２０の長さが１０３ｍｍ、頂面積が１６６５ｍｍ２、畝部１２０の高さが３ｍｍ、側壁角２６°とした。参考例２では、畝部１２０が製品幅方向内側に凹状、参考例３では、畝部１２０が直線形状を有する。その他の実施例、参考例及び比較例においては、表１に示す通りである。
【００３４】
（測定法）
畝部１２０の頂面幅Ａ、長さ、間隔、頂面積、高さＢ、側壁角は、三谷商事(株)製画像解析・画像処理ソフト『ＷｉｎＲＯＯＦ』を用いて各所計測を行った。
（拡張長）
０．９％生理食塩水５０ｍｌを１０ｍｌ／秒で吸収体中央に投入した後、５分後の液拡散長さを畝側からＭＤ(長手方向）、ＣＤ（幅方向）それぞれで計測する。
【００３５】
（官能評価）
２０名のパネラーに対して、吸収性物品１である実施例、参考例及び比較例の触感（肌触り）とフィット性（モレなどの使用時における不快感）の評価を実施した。「（ａ）不快感がない」、「（ｂ）どちらでもない」、「（ｃ）不快感あり」のいずれかの評価を選択させた。（ａ）の評価が１６〜２０人のときを「◎」、（ａ）の評価が１１〜１５人のときを「○」、（ａ）の評価が６〜１０人のときを「△」、（ａ）の評価が０〜５人のときを「×」で表示した。
【００３６】
【表１】
0006375574.tif 000002
【００３７】
表１に示すように、畝部１２０の形状によって拡散具合に変化が見られるが、プレスが無いものはプレスが有るものに比べＭＤ方向の拡散が悪くＣＤ方向は畝部１２０による拡散抑止が緩慢で導液効果も低い。また、畝部１２０の高さが高いと肌当たりの点で評価が低い。プレス具合によっては固さを気にするモニターも見られた。
【００３８】
また、実施例１は頂上部１２１の頂面幅Ａが広く、さらに側壁部１２２の傾斜角度がかなり大きいため、座屈しにくく、畝部１２０の高さＢが低いため、フィット性も良好であった。参考例２は頂上部１２１の頂面幅Ａが広く、さらに側壁部１２２の傾斜角度が大きいため、座屈しにくく、畝部１２０の高さＢが比較的低いため、フィット性も良好であった。参考例３は頂上部１２１の頂面幅Ａが広く、さらに側壁部１２２の傾斜角度がかなり大きいため、座屈しにくく、畝部１２０の高さＢが比較的低いため、フィット性も良好であった。
【００３９】
また、比較例１〜４では、頂上部１２１の頂面幅Ａが全体的に狭く、さらに畝部１２０の高さＢが高く、側壁部の傾斜角度も比較的小さいため、座屈しやすく、フィット性も悪かった。
【００４０】
本発明の実施形態に係る吸収性物品１によれば、排尿域は畝部１２０の間で広く開いているため、一度に大量に漏れが生じた場合も前後に拡散しやすく、漏れが防止できる。また、畝部１２０の加密された部分が壁となって長手方向への拡散誘導となり、横漏れが防止できる。さらに、加密された畝部分が鼠蹊部に当たり、漏れ防止効果と屈曲線となり股部にフィットする。
【００４１】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４２】
１  吸収性物品
１００  吸収体
１２０  畝部
１２１  頂上部
１２２  側壁部
１２３  基底部
２００  トップシート
３００  バックシート
【図１】
0006375574.tif 000003
【図２】
0006375574.tif 000004
【図３】
0006375574.tif 000005
【図４】
0006375574.tif 000006